(57)【要約】【課題】弔問者により記入された郵便番号および／または電話番号から、弔問者の住所を簡単に特定しデータ登録することができるようにすること。【解決手段】香典袋１０１は、弔問者により記入される郵便番号記入欄１０１Ｂおよび電話番号記入欄１０１Ｃの少なくとも一方を有する。【選択図】　図１
0003099229.tif 000002
【実用新案登録請求の範囲】
【請求項１】
弔問者記入用の郵便番号記入欄および電話番号記入欄を有することを特徴とする香典袋。
【請求項２】
前記郵便番号記入欄および前記電話番号記入欄は、裏面に印刷されていることを特徴とする請求項１記載の香典袋。
【請求項３】
前記郵便番号記入欄および前記電話番号記入欄は、当該香典袋の内袋に印刷されていることを特徴とする請求項１記載の香典袋。
【請求項４】
前記郵便番号記入欄および前記電話番号記入欄は、所定の読取装置により記入内容を読み取り可能な位置およびサイズで印刷されていることを特徴とする請求項１記載の香典袋。
【請求項５】
弔問者記入用の郵便番号記入欄および電話番号記入欄の少なくとも一方を有し、住所記入欄を有さないことを特徴とする香典袋。
【請求項６】
弔問者記入用の電話番号記入欄を有することを特徴とする香典袋。
【請求項７】
前記電話番号記入欄は、裏面に印刷されていることを特徴とする請求項６記載の香典袋。
【請求項８】
前記電話番号記入欄は、当該香典袋の内袋に印刷されていることを特徴とする請求項６記載の香典袋。
【請求項９】
前記電話番号記入欄は、所定の読取装置により記入内容を読み取り可能な位置およびサイズで印刷されていることを特徴とする請求項６記載の香典袋。
【請求項１０】
電話番号記入欄を有し、住所記入欄を有さないことを特徴とする香典袋。
【考案の詳細な説明】
【技術分野】
【０００１】
本考案は、故人の通夜、葬式などに訪れる弔問者により各種情報を記入される香典袋に関するものである。
【背景技術】
【０００２】
従来から、通夜、葬式などでは、弔問者に記帳をお願いし、その記帳の内容に基づいて、弔問者の一覧などが作成され、後日、香典返しの送付先の特定などに使用されている。
【０００３】
また、このような事務処理の負担を軽減するためのコンピュータシステムなどが種々提案されている（例えば特許文献１参照）。
【０００４】
その他、弔問者の名前だけでは、遺族にとって、故人とその弔問者との関係が不明な場合があるため、故人との関係を記入する欄を有する香典袋が提案されている（例えば特許文献２参照）。
【考案の開示】
【考案が解決しようとする課題】
【０００５】
しかしながら、上述の従来のシステムや香典袋を使用しても、香典袋における住所の記入欄への記入内容をシステムや台帳に手入力することは、煩雑かつ労力が必要となってしまう。
【０００６】
そこで、本考案は、郵便番号および／または電話番号から、弔問者の住所を簡単に特定しデータ登録することができる香典袋を得ることを目的とする。
【課題を解決するための手段】
【０００７】
上記の課題を解決するために、本考案の香典袋は、弔問者記入用の郵便番号記入欄および電話番号記入欄を有する。
【０００８】
この香典袋を利用すると、弔問者の郵便番号や電話番号を取得でき、これらの情報は数字で構成されるためにデータ化しやすく、郵便番号や電話番号のデータから、弔問者の住所を簡単に特定しデータ登録することができる。
【０００９】
さらに、本考案の香典袋は、上記考案の香典袋に加え、郵便番号記入欄および電話番号記入欄が裏面に印刷されているものである。
【００１０】
この香典袋を利用すると、従来の香典袋も裏面に香典金額などの記入欄が存在するため、弔問者が違和感なくこれらの記入欄に郵便番号や電話番号を記入でき、弔問者が郵便番号や電話番号を記入する確率を高くすることができる。
【００１１】
さらに、本考案の香典袋は、上記考案の香典袋のいずれかに加え、郵便番号記入欄および電話番号記入欄が当該香典袋の内袋に印刷されているものである。
【００１２】
この香典袋を利用すると、従来の香典袋の内袋にも香典金額などの記入欄が存在するため、弔問者が違和感なくこれらの記入欄に郵便番号や電話番号を記入でき、弔問者が郵便番号や電話番号を記入する確率を高くすることができる。
【００１３】
さらに、本考案の香典袋は、上記考案の香典袋のいずれかに加え、郵便番号記入欄および電話番号記入欄が所定の読取装置により記入内容を読み取り可能な位置およびサイズで印刷されているものである。
【００１４】
この香典袋を利用すると、弔問者の郵便番号および／または電話番号の文字認識を簡単に行うことができ、郵便番号および／または電話番号のデータから、弔問者の住所を簡単に特定しデータ登録することができる。
【００１５】
また、本考案の香典袋は、弔問者記入用の郵便番号記入欄および電話番号記入欄を有し、住所記入欄を有さない。
【００１６】
この香典袋を利用すると、弔問者の郵便番号や電話番号を取得でき、これらの情報は数字で構成されるためにデータ化しやすく、郵便番号や電話番号のデータから、弔問者の住所を簡単に特定しデータ登録することができる。さらに、住所記入欄をなくすことで、郵便番号記入欄および電話番号記入欄への記入確率を高くすることができる。
【００１７】
また、本考案の香典袋は、弔問者記入用の電話番号記入欄を有する。
【００１８】
この香典袋を利用すると、弔問者の電話番号を取得でき、この情報は数字で構成されるためにデータ化しやすく、電話番号のデータから、弔問者の住所を簡単に特定しデータ登録することができる。
【００１９】
さらに、本考案の香典袋は、上記考案の香典袋に加え、電話番号記入欄が裏面に印刷されているものである。
【００２０】
この香典袋を利用すると、従来の香典袋も裏面に香典金額などの記入欄が存在するため、弔問者が違和感なくこの記入欄に電話番号を記入でき、弔問者が電話番号を記入する確率を高くすることができる。
【００２１】
さらに、本考案の香典袋は、上記考案の香典袋のいずれかに加え、電話番号記入欄が当該香典袋の内袋に印刷されているものである。
【００２２】
この香典袋を利用すると、従来の香典袋の内袋にも香典金額などの記入欄が存在するため、弔問者が違和感なくこの記入欄に電話番号を記入でき、弔問者が電話番号を記入する確率を高くすることができる。
【００２３】
さらに、本考案の香典袋は、上記考案の香典袋のいずれかに加え、電話番号記入欄が所定の読取装置により記入内容を読み取り可能な位置およびサイズで印刷されているものである。
【００２４】
この香典袋を利用すると、弔問者の電話番号の文字認識を簡単に行うことができ、電話番号のデータから、弔問者の住所を簡単に特定しデータ登録することができる。
【００２５】
また、本考案の香典袋は、電話番号記入欄を有し、住所記入欄を有さない。
【００２６】
この香典袋を利用すると、弔問者の電話番号を取得でき、この情報は数字で構成されるためにデータ化しやすく、電話番号のデータから、弔問者の住所を簡単に特定しデータ登録することができる。さらに、住所記入欄をなくすことで、電話番号記入欄への記入確率を高くすることができる。
【考案の効果】
【００２７】
本考案によれば、郵便番号や電話番号から弔問者の住所を簡単に特定しデータ登録することができる香典袋を得ることができる。
【考案を実施するための最良の形態】
【００２８】
以下、図に基づいて本考案の実施の形態を説明する。
【００２９】
図１は、本考案の実施の形態に係る香典袋を示す図である。図１（Ａ）は、香典袋１０１の表（おもて）面を示す図であり、図１（Ｂ）は、香典袋１０１の裏面を示す図である。図１に示すように、香典袋１０１の裏面には、香典の金額記入欄１０１Ａ、弔問者記入用の郵便番号記入欄１０１Ｂ、弔問者記入用の電話番号記入欄１０１Ｃ、および弔問者／喪主側記入用の関係記入欄１０１Ｄが印刷などにより設けられる。金額記入欄１０１Ａには、弔問者により金額が記入される。郵便番号記入欄１０１Ｂには、弔問者により郵便番号が記入される。電話番号記入欄１０１Ｃには、弔問者により電話番号が記入される。関係記入欄１０１Ｄには、弔問者または喪主側により、弔問者と故人（あるいは喪主）との関係が記入される。
【００３０】
図１では、金額記入欄１０１Ａ、郵便番号記入欄１０１Ｂ、電話番号記入欄１０１Ｃおよび関係記入欄１０１Ｄは、香典袋１０１の裏側の下半分の領域内に、縦に配列されて印刷されている。これらの記入欄のサイズおよび配列の順序は、適宜設定される。
【００３１】
なお、香典袋１０１の表面には、氏名または名称を記入する欄は特に設けられないが、慣習上、下側中央の空白部分に氏名または名称が記入される。また、関係記入欄１０１Ｄは、必要に応じて、設けてもよいし設けなくてもよい。
【００３２】
また、図１では、香典袋１０１には、住所記入欄があると、郵便番号記入欄１０１Ｂや電話番号記入欄１０１Ｃへの記入の確率が減るため、住所記入欄は設けないようにしている。また、図１に示す香典袋１０１では、香典袋１０１の裏面に、記入欄１０１Ａ〜１０１Ｄが設けられているが、香典袋１０１に内袋が付属する場合には、その内袋にそれらの記入欄１０１Ａ〜１０１Ｄの一部または全部を設けるようにしてもよい。
【００３３】
図２は、本考案の実施の形態に係る弔問者データベースシステムの構成を示すブロック図である。図２において、パーソナルコンピュータ１は、所定のプログラム２１に従って動作し、設定データ２２における設定情報に基づいて、入力された情報からデジタルデータとしての弔問者データ２３を生成し、保存するコンピュータである。
【００３４】
また、入力装置２は、キーボード、マウス、手書き入力用のタッチタブレットなどといった手入力を受け付ける装置である。読取装置３は、香典袋１０１などへの記入内容を読み込み可能なスキャナ、ハンディスキャナ、デジタルカメラなどといった装置である。表示装置４は、各種情報を表示する液晶ディスプレイなどといった装置である。印刷装置５は、各種情報を印刷するプリンタなどといった装置である。
【００３５】
図２に示すパーソナルコンピュータ１において、ＣＰＵ１１は、図示せぬオペレーティングシステムやプログラム２１を実行し、プログラム２１に記述された処理を実行する演算処理装置である。また、ＲＯＭ１２は、プログラムおよびデータを予め記憶した不揮発性のメモリである。また、ＲＡＭ１３は、プログラムを実行する際にそのプログラムおよびデータを一時的に記憶するメモリである。
【００３６】
また、インタフェース１４は、入力装置２を接続可能なインタフェース回路である。また、インタフェース１５は、読取装置３を接続可能なインタフェース回路である。また、インタフェース１６は、データ格納装置２０を接続可能なインタフェース回路である。また、インタフェース１７は、印刷装置５を接続可能なインタフェース回路である。
【００３７】
なお、インタフェース１４としては、ＰＳ／２インタフェース、ＵＳＢ（Ｕｎｉｖｅｒｓａｌ　Ｓｅｒｉａｌ　Ｂｕｓ）などといったインタフェースが使用される。また、インタフェース１５，１７としては、外部装置接続用のＵＳＢ、ＳＣＳＩ、ＲＳ−２３２Ｃなどといったインタフェースが使用される。また、インタフェース１６としては、ＳＣＳＩ（Ｓｍａｌｌ　Ｃｏｍｐｕｔｅｒ　Ｓｙｓｔｅｍ　Ｉｎｔｅｒｆａｃｅ　）、ＩＤＥ（Ｉｎｔｅｇｒａｔｅｄ　Ｄｅｖｉｃｅ　Ｅｌｅｃｔｒｏｎｉｃｓ　）互換のもの、ＩＥＥＥ１３９４、ＵＳＢなどといったインタフェースが使用される。
【００３８】
また、通信装置１８は、ネットワークインタフェースカード、モデムなどといった通信装置であって、外部のサーバなどに接続可能な装置である。
【００３９】
また、画像処理回路１９は、画像データを書き込まれると、そのデータに対応する画像信号を出力する回路である。この画像処理回路１９には表示装置４が接続可能である。
【００４０】
また、データ格納装置２０は、図示せぬオペレーティングシステム、後述のデータ処理を記述したプログラム２１、そのプログラム２１の実行時に参照される設定データ２２、プログラム２１により作成、管理される弔問者データ２３などを格納する記録媒体としての装置であって、ハードディスク駆動装置、ディスクアレイ、可搬性のある記録媒体およびその駆動装置などとして実現される。
【００４１】
なお、データ格納装置２０は、インタフェース１６とともにパーソナルコンピュータ１に内蔵させてもよいし、外部装置としてパーソナルコンピュータ１のインタフェース１６に接続させるようにしてもよい。また、パーソナルコンピュータ１の代わりに、サーバ装置、汎用コンピュータシステムなどを使用してもよい。
【００４２】
図３は、図２に示す弔問者データベースシステムに格納される弔問者データ２３の様式の一例を示す図である。図３に示すように、弔問者データ２３には、１つの香典袋１０１に対して１つのレコード４１が作成される。そして、各レコード４１は、予め設定される故人の氏名を値（デジタルデータ）とする「故人の氏名」フィールド、香典袋１０１に記入された氏名または名称を値とする「弔問者氏名」フィールド、このレコード４１のデータ入力年月日を値とする「日付」フィールド、香典の金額を値とする「金額」フィールド、香典袋１０１の郵便番号記入欄１０１Ｂに記入された郵便番号を値とする「郵便番号」フィールド、香典袋１０１の電話番号記入欄１０１Ｃに記入された電話番号を値とする「電話番号」フィールド、弔問者の住所を値とする「住所」フィールド、および香典袋１０１の関係記入欄１０１Ｄに記入された故人との関係を値とする「故人との関係」フィールドを有する。
【００４３】
次に、上記弔問者データベースシステムにおいて弔問者データ２３が生成、管理される際の処理の流れについて説明する。図４は、本考案の実施の形態に係る弔問者データベースシステムにおいて弔問者データ２３が生成、管理される際の処理の流れについて説明するフローチャートである。
【００４４】
まず、上述の記入欄１０１Ａ〜１０１Ｄを有する多数の香典袋１０１が、各種店舗において商品として販売されたり、ある地域一帯に折込広告などとともに配布されたりする。これにより、ある地域において、この香典袋１０１が使用される確率が高くなる。
【００４５】
そして、以前にこの香典袋１０１を入手した弔問者は、通夜、葬式などにおいて、故人を弔問する際に使用する。その際、弔問者は、この香典袋１０１の表面に氏名または名称を記入し、裏面の記入欄１０１Ａ〜１０１Ｄのそれぞれに該当する内容を記入し、香典を包む。
【００４６】
弔問者は、その香典袋１０１をもって、故人宅、斎場、式場などに赴き、受付にて、あるいは直接、喪主または喪主に依頼された係りの人に、その香典袋１０１を手渡す。この際、従来どおり、記帳をお願いしてもよいが、しなくてもよい。
【００４７】
このようにして、喪主側では、弔問者により各種情報が記入された上述の香典袋１０１が、蓄積される。
【００４８】
そして、この１つの香典袋１０１における記入内容から上述の弔問者データ２３における１つのレコード４１が生成される。
【００４９】
その際、まず、パーソナルコンピュータ１は、ユーザの指令に応じて、プログラム２１を実行する。
【００５０】
その後、そのプログラム２１に従って表示装置４に要求画面が表示される。それに対応して、１つの香典袋１０１における記入内容が、入力装置２および／または読取装置３を使用することで、パーソナルコンピュータ１に入力される（ステップＳ１）。
【００５１】
手入力の場合には、ユーザが入力装置２を操作して、香典袋１０１に記載された氏名または名称、金額、郵便番号、電話番号および故人との関係を入力する。これにより、ＣＰＵ１１は、これらの記入内容のデジタルデータ（すなわち、キャラクタのデータ）を取得する。
【００５２】
読取装置３を使用する場合には、ユーザが入力装置２に対して指令を入力して読取装置３を操作し、読取装置３が、香典袋１０１の裏面を画像を読み取る。そして、ＣＰＵ１１は、図示せぬＯＣＲ（Ｏｐｔｉｃａｌ　Ｃｈａｒａｃｔｅｒ　Ｒｅａｄｅｒ）プログラムを実行し、その香典袋１０１の裏面を画像の所定の位置にある各欄１０１Ａ〜１０１Ｄ内の記入内容をデジタルデータ（すなわち、キャラクタのデータ）に変換する。なお、関係記入欄１０１Ｄの記入内容をＯＣＲによりデータ化することが難しい場合には、関係記入欄１０１Ｄの部分の画像を画像データとしてデータ格納装置２０に格納し、レコード４１の「故人との関係」フィールドには、その画像データを含むファイルの名称（ファイルパス）などを登録するようにしてもよい。
【００５３】
このようにして、パーソナルコンピュータ１のＣＰＵ１１により、デジタルデータとしての、香典金額、郵便番号、電話番号、および故人との関係が取得される。
【００５４】
次に、ＣＰＵ１１は、プログラム２１に従って、郵便番号および／または電話番号から、弔問者の住所を特定する（ステップＳ３）。
【００５５】
その際、ＣＰＵ１１は、プログラム２１に従って、通信装置１８を制御して、所定のサーバ装置との通信回線を確保する。そして、ＣＰＵ１１は、プログラム２１に従って、郵便番号および／または電話番号をそのサーバ装置に送信し、そのサーバ装置からその郵便番号および／または電話番号に対応する住所を取得する。そのようなサーバ装置は、郵便番号および／または電話番号と住所との対応表データを保存し、郵便番号および／または電話番号を伴う外部からの要求に応じて、対応する住所を応答する。そのようなサーバ装置には、例えばインターネット、一般電話回線などを介して接続すればよい。
【００５６】
なお、通信装置１８を使用して外部のサーバ装置に接続する代わりに同様の対応表データを有するデータベースをパーソナルコンピュータ１に設けるようにしてもよい。
【００５７】
また、ＣＰＵ１１がプログラム２１に従って郵便番号および／または電話番号から弔問者の住所を特定する場合に、電話番号として、市外局番が記入されていない場合には、郵便番号から住所の一部（例えば町名までの部分）を特定し、その住所の一部に対応する市外局番を特定し、その市外局番と、記入された電話番号とを組み合わせ、組み合わせられた一連の電話番号から弔問者の住所を特定するようにしてもよい。なお、市外局番が記入されているか否かは、ＣＰＵ１１によりプログラム２１に従って、記入された電話番号の桁数から判別するようにすればよい。
【００５８】
このようにして、ＣＰＵ１１は、プログラム２１に従って、弔問者の住所をデジタルデータ（すなわち、キャラクタデータ）として取得する。
【００５９】
そして、ＣＰＵ１１は、プログラム２１に従って、ステップＳ１にて取得した香典金額、郵便番号、電話番号、および故人との関係のデジタルデータ、並びにステップＳ２にて取得した弔問者の住所のデジタルデータに基づいて、弔問者データ２３における１つのレコード４１を生成し、弔問者データ２３に追加し記録する（ステップＳ３）。
【００６０】
その際、レコード４１における故人氏名のデータとしては、予め設定されているものが使用され、日付としては、パーソナルコンピュータ１内の図示せぬタイマなどから得られる処理時の年月日のデータが使用される。
【００６１】
このようにして、ステップＳ１からステップＳ３までの処理により、１つの香典袋１０１についての弔問者のデータ登録が完了する。したがって、複数の香典袋１０１がある場合には、ステップＳ１からステップＳ３までの処理を繰り返すことで、複数の弔問者についての弔問者データ２３が得られる。
【００６２】
その後、必要に応じて、ユーザが入力装置２を操作してパーソナルコンピュータ１へ指令を供給し、表示装置４に弔問者データ２３を表示させたり、印刷装置５に弔問者データ２３を印刷させたりしてもよい。その際、ＣＰＵ１１は、プログラム２１に従って、ユーザによる指令に応じて、データ格納装置２０から弔問者データ２３を読み出し、表示装置４に表示させたり、印刷装置５に印刷させたりする。
【００６３】
例えば、葬儀と並行に弔問者データ２３の生成を行い葬儀が終了した後に、弔問者の一覧として、印刷装置４により弔問者データ２３を印刷用紙に印刷し、印刷された弔問者の一覧を紙媒体で喪主に渡すようにしてもよい。
【００６４】
以上のように、上記実施の形態によれば、香典袋１０１は、弔問者記入用の郵便番号記入欄１０１Ｂおよび電話番号記入欄１０１Ｃを有する。
【００６５】
これにより、弔問者の郵便番号や電話番号を取得でき、これらの情報は数字で構成されるためにデータ化しやすく、郵便番号や電話番号のデータから、弔問者の住所を簡単に特定しデータ登録することができる。
【００６６】
さらに、上記実施の形態によれば、香典袋１０１では、郵便番号記入欄１０１Ｂおよび電話番号記入欄１０１Ｃが、裏面に印刷されている。
【００６７】
これにより、従来の香典袋も裏面に香典金額などの記入欄が存在するため、弔問者が違和感なくこれらの記入欄に郵便番号や電話番号を記入でき、弔問者が郵便番号や電話番号を記入する確率を高くすることができる。
【００６８】
さらに、上記実施の形態によれば、香典袋１０１では、郵便番号記入欄１０１Ｂおよび電話番号記入欄１０１Ｃが、当該香典袋の内袋に印刷されていてもよい。この場合にも、従来の香典袋の内袋にも香典金額などの記入欄が存在するため、弔問者が違和感なくこれらの記入欄に郵便番号や電話番号を記入でき、弔問者が郵便番号や電話番号を記入する確率を高くすることができる。
【００６９】
さらに、上記実施の形態によれば、香典袋１０１では、郵便番号記入欄１０１Ｂおよび電話番号記入欄１０１Ｃが、所定の読取装置３により記入内容を読み取り可能な位置およびサイズで印刷されている。
【００７０】
これにより、弔問者の郵便番号や電話番号の文字認識を簡単に行うことができ、郵便番号や電話番号のデータから、弔問者の住所を簡単に特定しデータ登録することができる。
【００７１】
また、上記実施の形態によれば、香典袋１０１は、弔問者記入用の郵便番号記入欄１０１Ｂおよび電話番号記入欄１０１Ｃを有し、弔問者記入用の住所記入欄を有さない。この場合には、住所記入欄をなくすことで、郵便番号記入欄１０１Ｂおよび電話番号記入欄１０１Ｃへの記入確率を高くすることができる。
【００７２】
なお、上述の実施の形態は、本考案の好適な例であるが、本考案は、これらに限定されるものではなく、本考案の要旨を逸脱しない範囲において、種々の変形、変更が可能である。
【００７３】
例えば、上述の実施の形態では、１つの香典袋１０１ごとに弔問者の住所を特定するようにしているが、その代わりに、一旦、レコード４１の該当欄を空欄にしておき、複数のレコード４１について後で一括して住所を特定し、その住所をレコード４１に追加で記録するようにしてもよい。一括して住所を特定するタイミングとしては、通夜や葬式などの式典が完了した後、香典返しなどを送付する際などが考えられる。
【００７４】
また、上述の実施の形態において、ステップＳ２にて、ステップＳ１において取得された電話番号に基づいて、弔問者の住所のデータとともに、弔問者の氏名または名称のデータを、サーバ装置などから取得するようにしてもよい。すなわち、その場合、ＣＰＵ１１は、プログラム２１に従って、弔問者情報特定手段として動作し、取得された電話番号のデータから、弔問者の氏名または名称、並びに弔問者の住所を特定する。これにより、弔問者が香典袋に記入した電話番号から、弔問者の氏名および住所を簡単に特定しデータ登録することができる。
【００７５】
また、上述の実施の形態において、読取装置３により、過去の葬儀などの際の弔問者の情報を記録した紙媒体の香典帳を読み込み、その香典帳の記載データからレコード４１の各フィールドの値を抽出し、その香典帳の記載を弔問者データ２３に追加するようにしてもよい。
【産業上の利用可能性】
【００７６】
本考案は、例えば、弔問者のリストの作成に活用可能である。
【図面の簡単な説明】
【００７７】
【図１】図１は、本考案の実施の形態に係る香典袋を示す図である。
【図２】図２は、本考案の実施の形態に係る弔問者データベースシステムの構成を示すブロック図である。
【図３】図３は、図２に示す弔問者データベースシステムに格納される弔問者データの様式の一例を示す図である。
【図４】図４は、本考案の実施の形態に係る弔問者データベースシステムにおいて弔問者データが生成、管理される際の処理の流れについて説明するフローチャートである。
【符号の説明】
【００７８】
３　読取装置
１０１　香典袋
１０１Ｂ　郵便番号記入欄
１０１Ｃ　電話番号記入欄
【図１】
0003099229.tif 000003
【図２】
0003099229.tif 000004
【図３】
0003099229.tif 000005
【図４】
0003099229.tif 000006